(57)【要約】【課題】バックライトに流れる管電流がある範囲の値でフリッカーを起こすインバータを使用している液晶表示装置において、バックライトに流す管電流の範囲を広げられなかった事を課題とする。【解決手段】検出回路４によってインバータから流れる管電流を検出し、検出結果から分散演算手段１０でその分散を計算し、計算結果よりフリッカーが起きているかどうか判断し、リミッター変更手段１１によって管電流値制御手段６のリミッターを変更し、インバータ３に入力する管電流設定値を動的に制御することによって、インバータ３から出力される管電流が不安定になることを回避させる構成とした。【選択図】  図１
2004303430.tif 000002
【特許請求の範囲】
【請求項１】
バックライトに流れる管電流がある範囲の値でフリッカーを発生する液晶表示装置において、インバータが出力する管電流値を検出し、検出結果から管電流値のばらつきの度合いを計算し、計算の結果ばらつきの度合いが大きい時、フリッカーが起こっていることと判断し、フリッカーが起きている時の検出値をもとに、インバータに入力する管電流設定値を制御する管電流制御手段のリミッターを変更することで、フリッカーの発生する管電流が前記バックライトに流れないようにすることを特徴とする液晶表示装置。
【請求項２】
画像表示を行う液晶表示手段と、前記液晶表示手段の光源であるバックライトと、前記バックライトに管電流を流すインバータと、前記インバータが出力する管電流の値を管電流設定値として前記インバータに出力するマイコンと、前記インバータが出力する管電流の値を検出し前記マイコンに入力する検出回路と、前記マイコン内において前記インバータに入力する前記管電流設定値をリミッターによって制御する管電流制御手段と、ユーザーによって設定された前記バックライトに流す管電流値である初期管電流設定値と、前記初期管電流設定値と前記検出回路によって得られた検出管電流値との差分を差分演算手段と、前記差分演算手段の差分演算結果を元に前記初期管電流設定値を補正し前記管電流設定値とする補正手段とを有する液晶表示装置であって、前記検出管電流値を元にその分散を計算する分散演算手段と、前記分散演算手段の演算結果を元に前記管電流制御手段のリミッターを変更できるリミッター変更手段とを持つことを特徴する液晶表示装置。
【請求項３】
画像表示を行う液晶表示手段と、前記液晶表示手段の光源であるバックライトと、前記バックライトに管電流を流すインバータと、前記インバータが出力する管電流の値を管電流設定値として前記インバータに出力するＩＣと、前記インバータが出力する管電流の値を検出しマイコンに入力する検出回路と、前記ＩＣ内において前記インバータに入力する前記管電流設定値をリミッターによって制御する管電流制御手段と、ユーザーによって設定された前記バックライトに流す管電流値である初期管電流設定値と、前記初期管電流設定値と前記検出回路によって得られた検出管電流値との差分を演算する差分演算手段と、前記差分演算手段の差分演算結果を元に前記初期管電流設定値を補正し前記管電流設定値とする補正手段とを有する液晶表示装置において、前記検出管電流値を元にその分散を計算する分散演算手段と、前記分散演算手段の演算結果を元に前記管電流制御手段のリミッターを変更できるリミッター変更手段とを持つことを特徴する液晶表示装置。
【発明の詳細な説明】
【０００１】
【発明の属する技術分野】
本発明は、液晶表示装置におけるインバータの制御に関するものである。
【０００２】
【従来の技術】
ある管電流の範囲でフリッカーが激しいインバータを使用している液晶表示装置では、インバータが出力する管電流値がフリッカーを発生する管電流値以下になると、前記インバータから出力される管電流が不安定になるため、フリッカーを発生する原因であることがわかっている。
【０００３】
インバータによってフリッカーが発生する時の管電流設定値は、使われるインバータによってバラツキがあるため、従来は使われるインバータがフリッカーを起こす管電流の範囲にあわせ、マイコンからインバータに入力する管電流を制御する管電流制御手段のリミッターを一様に設定して、インバータから出力する管電流値が不安定にならないよう制御することでフリッカーを回避していた。
【０００４】
また、バックライトの管電流値をユーザーによって設定された初期設定管電流値と同じにし、安定させるためフィードバック回路を使用していた。（特許文献１参照）
【０００５】
【特許文献１】
実開平５−８０１９１号公報
【０００６】
【発明が解決しようとする課題】
フリッカーが発生する時の管電流設定値はインバータによってばらつきがあるため、フリッカーが発生する管電流値が一番高いインバータ以外のインバータには前記管電流制御手段のリミッターを高く設定しすぎていることになり、インバータが出力できる管電流値の範囲を広げられないという課題があった。
【０００７】
本発明は前記課題に鑑み、個々のインバータに適した前記管電流制御手段のリミッターに動的に変更出来るようにすることで、インバータが出力できる管電流値の範囲を広げバックライトに広い輝度調整ができることを特徴としたものである。
【０００８】
【課題を解決するための手段】
前記課題を解決するために、本発明の液晶表示装置は、インバータが出力する管電流が不安定になりフリッカーが発生する時、検出回路によって得たその時の管電流値の分散を分散演算手段で演算し、その分散の演算結果によってインバータから出力された管電流の値が不安定になっているかどうかをマイコンによって判断し、前記マイコンによってその時のインバータに入力されている管電流設定値をもとに、前記管電流制御手段のリミッターを変更し、前記インバータから出力されている管電流が不安定にならないよう、管電流設定値を制御しフリッカーを回避することを特徴としたものである。
【０００９】
【発明の実施の形態】
本発明の請求項１に記載の液晶表示装置は、前記分散演算手段と前記リミッター変更手段によって、管電流制御手段のリミッターを変更し、インバータに入力する管電流設定値を制御することを特徴としたものであり、個々のインバータが出力する管電流が不安定になったとき、管電流設定値にあわせた管電流制御手段のリミッターに動的に変更することを実現しうるものである。
【００１０】
請求項２に記載の発明は、画像表示を行う液晶表示手段と、前記液晶表示手段の光源であるバックライトと、前記バックライトに管電流を流すインバータと、前記インバータが出力する管電流の値を管電流設定値として前記インバータに出力するマイコンと、前記インバータが出力する管電流の値を検出し前記マイコンに入力する検出回路と、前記マイコン内において前記インバータに入力する前記管電流設定値をリミッターによって制御する管電流制御手段と、ユーザーによって設定された前記バックライトに流す管電流値である初期管電流設定値と、前記初期管電流設定値と前記検出回路によって得られた検出管電流値との差分を前記マイコン内で演算する差分演算手段と、前記マイコン内で前記差分演算手段の差分演算結果を元に前記初期管電流設定値を補正し前記管電流設定値とする補正手段とを有する液晶表示装置において、前記マイコン内で前記検出管電流値を元にその分散を計算する分散演算手段と、前記マイコン内において前記分散演算手段の演算結果を元に前記管電流制御手段のリミッターを変更できるリミッター変更手段とを持つことを特徴としたものであり、インバータそれぞれにあわせた管電流の範囲で前記管電流制御手段のリミッターを動的に変更できるという作用を有する。
【００１１】
請求項３に記載の発明は、画像表示を行う液晶表示手段と、前記液晶表示手段の光源であるバックライトと、前記バックライトに管電流を流すインバータと、前記インバータが出力する管電流の値を管電流設定値として前記インバータに出力するＩＣと、前記インバータが出力する管電流の値を検出しマイコンに入力する検出回路と、前記ＩＣ内において前記インバータに入力する前記管電流設定値をリミッターによって制御する管電流制御手段と、ユーザーによって設定された前記バックライトに流す管電流値である初期管電流設定値と、前記初期管電流設定値と前記検出回路によって得られた検出管電流値との差分を前記マイコン内で演算する差分演算手段と、前記マイコン内で前記差分演算手段の差分演算結果を元に前記初期管電流設定値を補正し前記管電流設定値とする補正手段とを有する液晶表示装置において、前記マイコン内で前記検出管電流値を元にその分散を計算する分散演算手段と、前記マイコン内において前記分散演算手段の演算結果を元に前記管電流制御手段のリミッターを変更できるリミッター変更手段とを持つことを特徴としたものであり、インバータそれぞれにあわせた管電流の範囲で前記管電流制御手段のリミッターを動的に変更できるという作用を有する。以下、本発明の一実施の形態について、図１、２を用いて説明する。
【００１２】
（実施の形態１）
図１において、１は液晶表示デバイス、２はバックライト、３はインバータ、４はマイコン、５は検出回路、６は管電流制御手段、７は初期管電流設定値、８は差分演算手段、９は補正手段、１０は分散演算手段、１１はリミッター変更手段、１２はＩＣである。
まず通常状態では、マイコン４がインバータ３に管電流設定値を入力し、インバータ３は送られた管電流設定値によりバックライト２に流す管電流を決定する。
【００１３】
バックライト２はインバータ３から供給された管電流により、出力する輝度が決まる。すなわち、マイコン４がインバータ３に出力する管電流設定値により、出力する輝度が決まる。
【００１４】
また、検出回路５はインバータ３から出力された管電流の値を検出し検出管電流値をマイコン４に入力し、ユーザーから設定されたバックライト２に流す管電流の値である初期管電流設定値７との差分をマイコン４内の差分演算手段８によって計算する。差分演算手段８の演算結果をもとに、マイコン４内の補正手段９が初期設定管電流値７を補正して、管電流設定値とすることにより、ユーザーから設定された初期管電流設定値７と同じ値がインバータ３から出力することを実現している。
【００１５】
ここで、バックライト２がフリッカーを発生するときは、インバータ３が出力する管電流が不安定になったときであり、検出回路５によって検出された検出値の分散を動的に計算している分散演算手段１０が、前記検出値をもとにそのバラツキの度合いを分散を計算することによって算出し、その計算結果の分散がある一定値以上であるときフリッカーが発生していることと検出する。
【００１６】
分散演算手段１０がフリッカーを検出した時、マイコン４内のリミッター変更手段１１が、例えばフリッカーを起こす低い管電流を出力しないように、管電流値制御手段６のリミッターを引き上げることで管電流設定値を制御し、フリッカーを回避する。
【００１７】
また図２のように、マイコン４内に設置されていた管電流制御装置６をＩＣ１２に設置されても動作が変わらない事は言うまでも無い。
【００１８】
【発明の効果】
以上説明したように、インバータそれぞれにあわせた管電流の範囲で前記管電流制御手段のリミッターを動的に変更できることにより、前記バックライトに入力できる管電流値の範囲が広がることなり、バックライトに広い輝度調整が出来る液晶表示装置を提供することが可能になる。
【図面の簡単な説明】
【図１】本発明の実施の形態１における液晶表示装置の全体構成図
【図２】本発明の実施の形態２における液晶表示装置の全体構成図
【図３】従来の液晶表示装置の全体構成図
【符号の説明】
１  液晶表示手段
２  バックライト
３  インバータ
４  マイコン
５  検出回路
６  管電流制御手段
７  初期管電流設定値
８  差分演算手段
９  補正手段
１０  分散演算手段
１１  リミッター変更手段
１２  ＩＣ
【図１】
2004303430.tif 000003
【図２】
2004303430.tif 000004
【図３】
2004303430.tif 000005